(57)【要約】　　　（修正有）【課題】正負イオンを空中に放出して浮遊するカビや菌を不活化する空気浄化機能を有する照明器具を提供する。【解決手段】グローブ４内部には、送風経路１３が形成され、ここにイオン発生素子２１と送風ファン９が設けられる。グローブ４の正面には、空気の吸い込み口１４が形成され、その上側に吹き出し口１５が形成されており、グローブ４内部の送風経路１３に通じている。ＡＣ電源によりイオン発生素子２１が駆動され、グローブ４内部の送風通路１３で正負イオンが発生するとともに、送風ファン９が回転して吸い込み口１４から浴室の空気が送風通路１３に吸い込まれる。正負イオンは、この空気に運ばれ、吹き出し口１４とグローブ４の開口を通って浴室に吹き出される。これにより、浴室の雰囲気を浮遊するカビの胞子が殺菌され、カビの付着を予防することができる。【選択図】　　　図４
2004103279.tif 000002
【特許請求の範囲】
【請求項１】
光源と、正負イオンを発生するイオン発生素子と、前記イオン発生素子から発生した正負イオンを空間に送る送風機とを備えたことを特徴とする空気浄化機能付き照明器具。
【請求項２】
光源を有する照明器具本体と、正負イオンを発生するイオン発生素子及び前記イオン発生素子から発生した正負イオンを空間に送る送風機を有するイオン発生装置とを備え、前記イオン発生装置を前記照明器具本体に着脱可能に取り付けたことを特徴とする空気浄化機能付き照明器具。
【請求項３】
前記イオン発生装置がバッテリーを備えることを特徴とする請求項２に記載の空気浄化機能付き照明器具。
【請求項４】
空間に居る人の存在を検知する人体検知センサーと、前記光源の点灯及び前記イオン発生素子と前記送風機の運転を制御する制御部とを備え、一定時間前記人体検知センサーが人の存在を検知しないとき、前記制御部は前記光源を消灯することを特徴とする請求項１〜３のいずれかに記載の空気浄化機能付き照明器具。
【請求項５】
換気装置を備えた浴室照明用の照明器具であって、浴室の湿度を検出する湿度センサーと、前記光源の点灯、前記イオン発生素子と前記送風機の運転及び前記換気装置の運転を制御する制御部とを備え、前記湿度センサーが検出した浴室の湿度が設定値より高いとき、前記制御部は前記換気装置を運転することを特徴とする請求項１〜４のいずれかに記載の空気浄化機能付き照明器具。
【請求項６】
前記光源が消灯状態のときには、前記イオン発生素子から略同数の正負イオンを発生させることを特徴とする請求項１〜４のいずれかに記載の空気浄化機能付き照明器具。
【請求項７】
前記光源が点灯状態のときには、前記イオン発生素子から負イオンを発生させることを特徴とする請求項１〜６のいずれかに記載の空気浄化機能付き照明器具。
【請求項８】
前記光源のＯＮ／ＯＦＦスイッチとは別に、イオン発生素子のＯＮ／ＯＦＦ用スイッチを設けたことを特徴とする請求項６又は７に記載の空気浄化機能付き照明器具。
【発明の詳細な説明】
【０００１】
【発明の属する技術分野】
本発明は、空気浄化機能を備えた照明器具に関するものである。
【０００２】
【従来の技術】
浴室は高温多湿の空間であり、入浴後換気を行なってもしばらくは湿気が残るため、タイルや天井にカビが生え、非衛生になりやすい。そのため、塩素系の薬剤を散布してカビを取り除かねばならず、清掃に手間がかかるだけでなく、薬剤の刺激臭で気分が悪くなるという問題があった。
【０００３】
そこで、オゾン発生装置などの空間殺菌装置を浴室内に設置し、空気中に浮遊するカビの胞子を殺すことにより、タイルや天井へのカビの付着を防ぎ、カビの生えない清潔な浴室環境を実現する提案がなされている。
【０００４】
【発明が解決しようとする課題】
しかしながら、空間殺菌装置を浴室に設置するための工事が別途必要であり、壁に埋め込み式でない場合は、浴室が狭くなってしまう。また、オゾンガスは人間に有害な物質なので、オゾン発生装置は浴室に人が出入りしない時間帯を選んで運転させることが必要であり、処理後も残留オゾンガスが安全な濃度に低下するまで入室できないなど不都合な点が多々あった。
【０００５】
【課題を解決するための手段】
上記課題を解決するために本発明は、正負イオンを空間に放出するイオン発生手段を備えた空気浄化機能付き照明器具を提案するものである。
【０００６】
図７は、正イオンと負イオンによる空気中に浮遊するクラドスポリウム（黒カビ）の除去試験の結果を示している。クラドスポリウムは、キノコなどの真菌に分類される微生物である。試験は、容積１３．５ｍ３の密閉容器内を温度２５℃、湿度４２％に保ち、この密閉容器内に一定数の生きたクラドスポリウムの胞子を満たした後、正イオンと負イオンを供給することにより行なった。図７のグラフはクラドスポリウムの数の変化をエアサンプラーで追跡したものである。なお、本試験のイオン送出条件としては、風量が４ｍ３／分であり、イオン送風機の吹出し口から１０ｃｍ離れた位置にて、正負イオン濃度はそれぞれ約４万個／ｃｍ３とした。また、図７の試験において対象空間の中央部において、正負イオンの濃度を測定したところ、正負イオン濃度は、それぞれ約２，０００個／ｃｍ３であった。なお、このイオンの測定条件としては、イオンカウンターの加速電圧を調整し、１ｃｍ２／Ｖ・ｓ以上の移動度を有するものを選択的に測定対象として、数値化している。
【０００７】
図７に示すように、イオンの供給により残存するクラドスポリウムの数は時間の経過に従って減少していき、供給を開始してから約４時間でクラドスポリウムをほぼ全滅させることができる。したがって、正イオンと負イオンにはクラドスポリウムに代表されるさまざまな環境で生息するカビ類、（例えば、パン酵母、赤パンカビ、青カビ、こうじカビ、水カビなど）の胞子を空中で不活化して、その繁殖を抑える作用があると考えられる。また、本効果を得るための適切なイオン発生条件は以上に限られるものではなく、菌種、希望する清浄度の条件に従って、イオン濃度は自由に変更することが可能である。
【０００８】
また図８は、正イオンと負イオンによる空気中に浮遊する大腸菌の除去試験の結果を示している。大腸菌は、微生物の中でも最も原始的なバチルスなどが属する細菌類に分類されるものである。試験は、容積３６ｍ３の密閉容器内を温度２５℃、湿度４２％に保ち、この容器内に一定数の生きた大腸菌を浮遊させた後、容器内に正イオンと負イオンを供給することにより行なった。図８に示す試験結果は、大腸菌の数の変化をエアサンプラーで追跡したものである。なお、図８の試験も、図７と同じイオン発生条件となるよう設定しており、風量が４ｍ３／分であり、イオン送風機の吹出し口から１０ｃｍ離れた位置にて、正負イオン濃度はそれぞれ４万個／ｃｍ３としている。また、図８と図７は空間の大きさが異なるため、風の方向等を若干調整することにより、図８の試験における対象空間の中央部において、正負イオン濃度は、それぞれ約２，０００個／ｃｍ３に保つように設定している。
【０００９】
図８に示すように、イオンの供給により残存する大腸菌の数は時間の経過に従って減少していき、供給を開始してから約６時間で大腸菌をほぼ全滅させることができる。したがって、正イオンと負イオンには、大腸菌に代表されるさまざまな細菌類（例えば、サルモネラ菌、病原性大腸菌Ｏ１５７など）を空中で不活化して、その増殖を抑える作用があるものと考えられる。
【００１０】
なお、図７、図８に示す試験においては、電極間に交流高電圧を印加することにより、空気中の酸素ないしは水分が電離によりエネルギーを受けてイオン化した、Ｈ＋（Ｈ２Ｏ）ｍ（ｍは任意の自然数）と、Ｏ２−（Ｈ２Ｏ）ｎ（ｎは任意の自然数）が主体のイオンを放出するようにしている。これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１１】
正負のイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を、不活化、除去することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ　・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’　→　２・ＯＨ＋Ｏ２＋（ｍ＋ｍ’＋ｎ＋ｎ’）Ｈ２Ｏ　・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’　→　Ｈ２Ｏ２＋Ｏ２＋（ｍ＋ｍ’＋ｎ＋ｎ’）Ｈ２Ｏ　・・・（３）
【００１２】
以上のメカニズムにより、上記正負イオンの放出により、浮遊菌等の不活化効果を得ることができる。
【００１３】
また、上記式（１）〜式（３）は、空気中の有害物質表面でも同様に作用を生じさせることができるため、活性種である過酸化水素（Ｈ２Ｏ２）または水酸基ラジカル（・ＯＨ）が、ホルムアルデヒドやアンモニアなどの化学物質を、酸化若しくは分解して、二酸化炭素や、水、窒素などの無害な物質に変換することにより、実質的に無害化することが可能である。
【００１４】
その他、正イオンと負イオンには、インフルエンザウィルス、コクサッキーウィルスなどのウィルス類も不活化する働きがあり、これらウィルスの混入による汚染が防止できる。
【００１５】
また、正イオンと負イオンには、臭いの元となる分子を分解する働きがあることも確かめられており、空間の脱臭にも利用できる。
【００１６】
この技術を浴室の照明器具に利用すれば、浴室の雰囲気中のカビや菌を不活化し、浮遊菌数を一定の水準以下に抑えておくことが可能である。正負イオンには浴室のタイルや天井に付着したカビや菌を不活化する作用は小さいが、このように浮遊菌数を抑えることで、カビや菌の付着を抑えることができるため、塩素系薬剤を散布する清掃作業のサイクルを従来よりも長く採ることができる。このことは、薬剤散布の回数と散布量が減り、経費の節減などが図れることを意味する。
【００１７】
そして、本発明はイオン発生装置を照明器具から着脱式とするものである。接続端子を照明器具本体とイオン発生装置に設けて、イオン発生装置を着脱式にしている。装着時は、照明用のＡＣ電源でイオン発生装置の駆動電源を兼用し、取り外し時は乾電池や充電式内蔵バッテリーなどのＤＣ電源を使用することにより、携帯用のイオン発生装置として使用することができる。また、家庭で使用するあらゆる照明器具についてイオン発生装置の着脱構造の規格を統一することにより、浴室から持ち出して部屋の照明器具に装着するだけで手軽に使えるようになる。
【００１８】
照明は居住空間に人が居るときに行なうものであるが、このような空気浄化機能を付加した照明器具では、人の存在に関係なく状況に応じて空気浄化機能が利用できると便利である。例えば、浴室で使用する場合は、湿気が多いときに空気浄化機能が必要となるケースが多い。そこで、湿度センサーで浴室の湿度を検知し、設定値より高い湿度であれば、換気扇などの換気装置を自動的に運転することで、湿気が減り、空気浄化機能の利用価値が高くなる。また、人体検知センサーで人の存在を検知し、人が居なければ、光源を消灯することで節電となる。
【００１９】
その他にもイオン発生素子を自動で動作させるモードを設けてもよい。例えば、光源が消灯状態のときには、イオン発生素子から略同数の正負イオンを発生させる。そして、送風機を駆動して浴室に正負イオンを送り出す。これにより、浴室の不使用時に、浴室の空気の除菌が行なえ、タイルや天井へのカビの発生を抑えることができる。そして、光源を点灯させたときには、イオン発生素子から負イオンを発生させ、送風機を駆動して浴室に負イオンを送り出すことにより、入浴中にリラックス効果を得ることが可能となる。この場合、光源の点灯をＯＮ／ＯＦＦするスイッチとは別に、イオン発生素子のＯＮ／ＯＦＦ用スイッチをブラケット本体１に設けて、必要に応じてイオン発生素子の作動をＯＦＦするようにすると、節電になって都合がよい。
【００２０】
【発明の実施の形態】
本発明の第１の実施形態について、浴室の壁面に取り付けて使用するブラケットを例に説明する。図１は、空気浄化機能付きブラケットの側面断面図である。ブラケット本体１の下側には、着脱式のイオン発生装置１０の上部を差し込んで装着できる凹所１Ａが形成されている。ブラケット本体１の正面に設けられたソケット２には、光源である電球３が差し込まれている。この電球３をすっぽり包み込むように、ブラケット本体１の正面には箱型のグローブ４が装着される。ブラケット本体１は、駆動回路などの電装部品を内蔵している。駆動回路は、電球３の点灯、イオン発生装置１０の運転を制御するマイクロコンピューターより成る制御部７を備えている。制御部７はＡＣ電源（図示せず）に接続される。さらに、ブラケットは、浴室に人が居るか否かを検知する焦電型赤外線センサーなどの人体検知センサー６と浴室の湿度を検出する湿度センサー５を備えている。
【００２１】
ケーシング１１の上部には接続端子１２が形成されている。この接続端子１２に対応してブラケット本体１側にも凹所１Ａの壁面に接続端子８が形成されている。イオン発生装置１０の着脱はこれら接続端子８，１２の接触の有無で検知され、イオン発生装置１０の装着時、両方の接続端子１２，８同士が接触して通電が行なえるようになる。
【００２２】
ケーシング１１内部には、送風経路１３が形成され、この送風通路１３に送風ファン９とイオン発生素子２１が設けられている。ケーシング１１の正面には、空気の吸い込み口１４が形成され、その上側に吹き出し口１５が形成されており、ケーシング１１内部の送風経路１３に通じている。さらに、イオン発生装置１０は、ケーシング１１内部にファンモーター（図示せず）と、充電式のバッテリー１６を内蔵し、接続端子８，１２を介してブラケット本体１側の駆動電源であるＡＣ電源（図示せず）に接続されている。
【００２３】
次に、イオン発生素子２１の構成について説明する。平板上の誘電体２３の上面と下面には、板状の誘電電極２４と網状の放電電極２５が対向配置されている。これらの誘電電極２４と放電電極２５には、リード線２７を介して高圧パルス駆動回路２６が接続されている。高圧パルス駆動回路２６を駆動すると、誘電電極２４と放電電極２５の間に正電圧と負電圧からなる高圧パルス電圧が印加され、プラズマ放電が起こる。これによって放電電極２５の周辺空気がイオン化され、ほぼ同数の正イオンと負イオンが発生する。
【００２４】
イオン発生素子２１の放電電極２５に水滴が付着するとイオン発生能力が落ちるので、放電電極２５を加熱して水滴を除くための電極加熱用ヒーター２８を放電電極２５近傍に設けている。さらに、補助的な加熱手段として、送風通路１３を流れる空気流を加熱する空気加熱用ヒーター２９を電極の上流側に設けて、空気流中の湿気が放電電極２５に結露するのを防止している。
【００２５】
図１のように、イオン発生装置１０をブラケット本体１に装着すると、ケーシング１１に形成した吹き出し口１５がグローブ４の内側に収まり、吸い込み口１４がグローブ４の外側に位置する。この状態でブラケットのスイッチをオンにすると、ＡＣ電源によりイオン発生装置１０が駆動され、ケーシング１１内部の送風通路１３で正負イオンが発生するとともに、送風ファン９が回転して吸い込み口１４から浴室の空気が送風通路１３に吸い込まれる。正負イオンは、この空気に運ばれ、吹き出し口１４とグローブ４の開口を通って浴室に吹き出される。これにより、浴室の雰囲気を浮遊するカビの胞子が殺菌され、カビの付着を予防することができる。
【００２６】
また、イオン発生装置１０は着脱式であるため、同様な着脱構造をテーブルスタンドなど他の照明器具にも備えることにより、イオン発生装置１０をブラケット本体１から取り外して運び、他の照明器具に装着して使用することができる。あるいは、ブラケット本体１から取り外し、内蔵バッテリーで携帯型のイオン発生装置として使用することもできる。
【００２７】
図２は、制御ブロック図である。湿度センサー５、人体検知センサー６は制御部７に接続され、検出結果を制御部７に出力するようになっている。さらに制御部７には、浴室の大きさ、湿度などの環境条件を設定する設定部４５が接続されている。
【００２８】
制御部７は、湿度センサー５、人体検知センサー６の出力に基づいてイオン発生装置１０の高圧パルス駆動回路２６の動作を制御するとともに、送風ファン９の回転を制御する。さらに制御部７は、イオン発生装置１０の運転制御や電極加熱用ヒーター２８と空気加熱用ヒーター２９の発熱制御のタイミングをタイマー１７によって決めている。
【００２９】
図３は、ブラケットの動作の一例を示すフローチャートである。ブラケットのスイッチを入れると、電球３が点灯して浴室を照明するとともに、タイマー１７が作動して電極加熱用ヒーター２８が一定時間発熱する。このヒーター加熱によって放電電極２５表面に結露した水分が蒸発する。さらに、補助的に空気加熱用ヒーター２９が発熱し、送風通路１３を流れる空気流を加熱して、放電電極２５に結露が生じないようにする。
【００３０】
そして、浴室の湿度が湿度センサー５により検出され、制御部７に入力される。制御部７は、この入力に基づいて浴室の湿度をあらかじめ設定した湿度と比較し、それよりも湿度が高いときは、除菌・乾燥モードに入って換気装置３０を運転して湿気の乾燥を行なうとともに、イオン発生装置１０を駆動して正負イオンを発生させて浴室に放出して空気を除菌する。湿度が設定値以下であれば、除菌モードで制御し、換気装置３０は停止させたままイオン発生装置１０のみを駆動して正負イオンによって浴室の空気を除菌する。
【００３１】
そして、人体検知センサー６によって浴室に人が居るか居ないかを検知し、人の存在を検知したときは、マイナスイオンモードに切り替え、イオン発生装置１０から負イオンを豊富に発生させ、浴室に負イオンを放出する。これにより、入浴中にリラックスした気分を味わうことができる。浴室に人が居らず、あるいは入浴を終えた人が浴室を出て、一定時間人体検知センサーが人の存在を検知しないときは、電球３を消灯し、再び湿度検出を行なう。
【００３２】
このように、人が居ないときに正負イオンを放出して浴室の空気を除菌し、タイルや天井へのカビの発生を抑えることができ、入浴中は浴室に負イオンを放出してリラックス効果を得ることが可能となる。
【００３３】
次に、第２の実施形態について、浴室の壁面に取り付けて使用するブラケットを例に説明する。図４は、空気浄化機能付きブラケットの側面断面図である。ブラケット本体１の正面に設けられたソケット２には、光源である電球３が差し込まれている。この電球３をすっぽり包み込むように、ブラケット本体１の正面には箱型のグローブ４が装着される。
【００３４】
グローブ４内部には、送風経路１３が形成され、ここにイオン発生素子２１と送風ファン９が設けられる。グローブ４の正面には、空気の吸い込み口１４が形成され、その上側に吹き出し口１５が形成されており、グローブ４内部の送風経路１３に通じている。
【００３５】
ブラケット本体１は、駆動回路やファンモーター（図示せず）などの電装部品を内蔵している。駆動回路は、電球３の点灯やイオン発生素子２１と送風ファン９の運転を制御するマイクロコンピューターより成る制御部７を備えている。制御部７はＡＣ電源（図示せず）に接続される。さらに、ブラケットは、浴室に人が居るか否かを検知する焦電型赤外線センサーなどの人体検知センサー６と浴室の湿度を検出する湿度センサー５を備えている。
【００３６】
次に、イオン発生素子２１の構成について説明する。平板上の誘電体２３の上面と下面には、板状の誘電電極２４と網状の放電電極２５が対向配置されている。これらの誘電電極２４と放電電極２５には、リード線２７を介して高圧パルス駆動回路２６が接続されている。高圧パルス駆動回路２６を駆動すると、誘電電極２４と放電電極２５の間に正電圧と負電圧からなる高圧パルス電圧が印加され、プラズマ放電が起こる。これによって放電電極２５の周辺空気がイオン化され、ほぼ同数の正イオンと負イオンが発生する。
【００３７】
イオン発生素子２１の放電電極２５に水滴が付着するとイオン発生能力が落ちるので、放電電極２５を加熱して水滴を除くための電極加熱用ヒーター２８を放電電極２５近傍に設けている。さらに、補助的な加熱手段として、送風通路１３を流れる空気流を加熱する空気加熱用ヒーター２９を電極の上流側に設けて、空気流中の湿気が放電電極２５に結露するのを防止している。
【００３８】
そして、ブラケットのスイッチをオンにすると、ＡＣ電源によりイオン発生素子２１が駆動され、グローブ４内部の送風通路１３で正負イオンが発生するとともに、送風ファン９が回転して吸い込み口１４から浴室の空気が送風通路１３に吸い込まれる。正負イオンは、この空気に運ばれ、吹き出し口１４とグローブ４の開口を通って浴室に吹き出される。これにより、浴室の雰囲気を浮遊するカビの胞子が殺菌され、カビの付着を予防することができる。
【００３９】
図５は、制御ブロック図である。湿度センサー５、人体検知センサー６は制御部７に接続され、検出結果を制御部７に出力するようになっている。さらに制御部７には、浴室の大きさ、湿度などの環境条件を設定する設定部４５が接続されている。
【００４０】
制御部７は、湿度センサー５、人体検知センサー６の出力に基づいてイオン発生素子２１の高圧パルス駆動回路２６の動作を制御するとともに、送風ファン９のファンモーターの回転を制御する。さらに制御部７は、イオン発生素子２１と送風ファン９の運転制御や電極加熱用ヒーター２８と空気加熱用ヒーター２９の発熱制御のタイミングをタイマー１７によって決めている。
【００４１】
図６は、ブラケットの動作の一例を示すフローチャートである。ブラケットのスイッチを入れると、電球３が点灯した浴室を照明するとともに、タイマー１７が作動して電極加熱用ヒーター２８が一定時間発熱する。このヒーター加熱によって電極表面に結露した水分が蒸発する。さらに、補助的に空気加熱用ヒーター２９が発熱し、送風通路１３を流れる空気流を加熱して、電極に結露が生じないようにする。
【００４２】
そして、浴室の湿度が湿度センサー５により検出され、制御部７に入力される。制御部７は、この入力に基づいて浴室の湿度をあらかじめ設定した湿度と比較し、それよりも湿度が高いときは、除菌・乾燥モードに入って換気装置３０を運転して乾燥を行なうとともに、イオン発生素子２１の高圧パルス駆動回路２６と送風ファン９のファンモーターに通電して正負イオンを発生させ、浴室に放出して空気の除菌を行なう。湿度が設定値以下であれば、除菌モードで制御し、換気装置３０は停止させたまま高圧パルス駆動回路２６と送風ファン９を駆動して正負イオンによって浴室の空気を除菌する。
【００４３】
そして、人体検知センサー６によって浴室に人が居るか居ないかを検知し、人の存在を検知したときは、マイナスイオンモードに切り替え、イオン発生素子２１から負イオンを豊富に発生させ、浴室に負イオンを放出する。負イオンを大量発生させるには、交番極性のパルス高電圧の正電位の時間を短く、負電位の時間を長くする。これにより、入浴中にリラックスした気分を味わうことができる。浴室に人が居らず、あるいは入浴を終えた人が浴室を出て、一定時間人体検知センサー６が人の存在を検知しないときは、電球３を消灯し、再び湿度検出を行なう。
【００４４】
このように、人が居ないときに正負イオンを放出して浴室の空気を除菌し、タイルや天井へのカビの発生を抑えることができ、入浴中は浴室に負イオンを放出してリラックス効果を得ることが可能となる。
【００４５】
なお、上記のブラケットの動作は一例であって、その他にもイオン発生素子２１を自動で動作させるモードを設けてもよい。例えば、電球３が消灯状態のときには、高圧パルス駆動回路２６に通電し、交番極性のパルス高電圧を誘電電極２４と放電電極２５の間に印加することにより、イオン発生素子２１から略同数の正負イオンを発生させる。そして、送風ファン９を駆動して浴室に正負イオンを送り出す。これにより、浴室の不使用時に、浴室の空気の除菌が行なえ、タイルや天井へのカビの発生を抑えることができる。そして、ブラケットのスイッチを入れ、電球３を点灯させたときには、イオン発生素子２１から負イオンを発生させ、送風ファン９を駆動して浴室に負イオンを送り出すことにより、入浴中にリラックス効果を得ることが可能となる。この場合、電球３の点灯をＯＮ／ＯＦＦするスイッチとは別に、イオン発生素子２１のＯＮ／ＯＦＦ用スイッチをブラケット本体１に設けて、必要に応じてイオン発生素子２１の作動をＯＦＦするようにすると、節電になって都合がよい。
【００４６】
上記の説明ではブラケットを例に挙げたが、同様なイオン発生機構をシーリングライトに内蔵させてもよい。シーリングライトは、天井面に直付けして部屋全般を明るくするタイプの照明器具であり、一般家庭用として最も普及しているタイプである。その他、シャンデリア、ダウンライト、スポットライト、ペンダントなどのデザインの異なる各種照明器具に搭載することができる。
【００４７】
【発明の効果】
以上説明したように本発明によると、無人の居住空間に正負イオンを放出して空気を除菌し、空間を清潔に維持することができ、人が居るときは、照明を行なうとともに負イオンを放出してリラックス効果を得ることが可能となる。したがって、別途空間殺菌装置を設置する不要がなく、空間が広く使え、しかもオゾンと違って正負イオンは人間に無害であるため、手軽で利便性が非常に高い空気浄化機能つき照明器具を提供することができる。
【図面の簡単な説明】
【図１】本発明の第１の実施形態に係る空気浄化機能付きブラケットの側面断面図である。
【図２】上記ブラケットの制御ブロック図である。
【図３】上記ブラケットの動作の一例を示すフローチャートである。
【図４】本発明の第２の実施形態に係る空気浄化機能付きブラケットの側面断面図である。
【図５】上記ブラケットの制御ブロック図である。
【図６】上記ブラケットの動作の一例を示すフローチャートである。
【図７】正イオンと負イオンによる空気中に浮遊するクラドスポリウム（黒カビ）の除去試験の結果を示すグラフである。
【図８】正イオンと負イオンによる空気中に浮遊する大腸菌の除去試験の結果を示すグラフである。
【符号の説明】
１　ブラケット本体
２　ソケット
３　電球
４　グローブ
５　湿度センサー
６　人体検知センサー
７　制御部
９　送風ファン
１０　イオン発生装置
２１　イオン発生素子
２４　誘電電極
２５　放電電極
３０　換気装置
【図１】
2004103279.tif 000003
【図２】
2004103279.tif 000004
【図３】
2004103279.tif 000005
【図４】
2004103279.tif 000006
【図５】
2004103279.tif 000007
【図６】
2004103279.tif 000008
【図７】
2004103279.tif 000009
【図８】
2004103279.tif 000010